(57)【要約】【課題】高効率散熱機能を有するＬＥＤ電球の提供。【解決手段】ＬＥＤ電球１は相互につながる透明シェル１１とライトヘッド１２とを備え、透明シェル１１内に複数のＬＥＤ１４が設けられる。この場合、透明シェル１１内には、ライトヘッド１２とつながる多面体１３が設けられ、複数のＬＥＤ１４は多面体１３の各表面に分布して設けられる。このようにして複数のＬＥＤ１４の発光面の向きが同じでなく、また、電球全体の発光面が大きくなり、そして、多面体１３を通じて、ＬＥＤ１４からの熱をライトヘッド１２へ伝え、ライトヘッド１２から散熱するようになっている。【選択図】図３
0003162606.tif 000002
【実用新案登録請求の範囲】
【請求項１】
相互につながる透明シェルとライトヘッドとを備え、前記透明シェル内に、複数のＬＥＤが設けられるＬＥＤ電球において、
前記透明シェル内に、ライトヘッドとつながる多面体が設けられ、
前記複数のＬＥＤは、前記多面体の各表面に分布されて、前記複数のＬＥＤの発光面の向きが同じにならないように設けられる、
ことを特徴とする高効率散熱機能を有するＬＥＤ電球。
【請求項２】
多面体は長い柱状構造をなし、複数のＬＥＤが前記多面体の自由端の端面縁に環状に分布して、かつ当該各ＬＥＤの発光面がいずれも前記多面体の自由端に向けて設けられることを特徴とする請求項１に記載の高効率散熱機能を有するＬＥＤ電球。
【請求項３】
多面体とライトヘッドは螺接構造により相互に螺接されることを特徴とする請求項１または請求項２に記載の高効率散熱機能を有するＬＥＤ電球。
【請求項４】
ライトヘッドと透明シェルの間に、散熱を補助するためのセラミックブロックが設けられることを特徴とする請求項３に記載の高効率散熱機能を有するＬＥＤ電球。
【請求項５】
ライトヘッド、セラミックブロックと透明シェルの間は、伝熱接着剤で接続、固定されることを特徴とする請求項４に記載の高効率散熱機能を有するＬＥＤ電球。
【考案の詳細な説明】
【技術分野】
【０００１】
本考案は高効率散熱機能を有するＬＥＤ電球に関する。
【背景技術】
【０００２】
既存のＬＥＤ電球には通常、二種類のものがある。一つは、図１に示すように、発光面積の小さいＬＥＤ電球１'であり、透明シェル（灯体）１１'とライトヘッド１２'とを備え、透明シェル１１'内に、散熱ブロック１３'が横向きに設けられ、この散熱ブロック１３'の上部に接着剤を介して一つまたは複数のＬＥＤ１４'が設けられる。もう一つは、図２に示すように、発光面積の大きいＬＥＤ電球１"であり、透明シェル（灯体）１１"とライトヘッド１２"とを備え、透明シェル１１"内に、散熱棒１３"が縦向きに設けられ、この散熱棒１３"の側面に複数のＬＥＤ１４"が設けられる。
【考案の概要】
【考案が解決しようとする課題】
【０００３】
しかしながら、上記従来のＬＥＤ電球１'では、散熱を行うための散熱ブロック１３'が設けられているが、発光面積が小さいために、使用の時に制限がある、という問題がある。また、上記従来のＬＥＤ電球１"では、ＬＥＤ１４"の発光面を正面と裏面の両面にすることで、発光面が拡大されるが、散熱棒１３"とライトヘッド１２"の間が直接的に接続されていないため、散熱効果が大きく減少される、という問題がある。このように上述の二構造のＬＥＤ電球構造はいずれも理想的なものではなく、改善の必要がある。
【０００４】
本考案は、上記従来の問題を解決するものであり、散熱効果を向上させ、発光面を大きくすることのできる、高効率散熱機能を有するＬＥＤ電球を提供すること、を目的とする。
【課題を解決するための手段】
【０００５】
上記目的を達成するために、本考案は、相互につながっている透明シェルとライトヘッドが備わり、シェル内には、複数のＬＥＤが設けられており、該透明シェルには更に、ライトヘッドとつながっている多面体があり、複数の該ＬＥＤは、該多面体の各表面に分布して、複数の該ＬＥＤ発光面向きが同じでないように設けられていることを特徴とするオリジナルな高効率散熱機能を有するＬＥＤ電球、を要旨とする。
このように多面体に複数のＬＥＤが設けられることで、各ＬＥＤの発光面向きは同じでなく、また、電球全体の発光面が大きくなる。そして、多面体を通じて、ＬＥＤからの熱をライトヘッドへ伝え、ライトヘッドから散熱されることになるので、散熱効果は有効に向上する。
この場合、該多面体は、長い柱状構造をなし、そして多面体の自由端の端面縁には、環状に分布している複数のＬＥＤが設けられており、多面体の各角度の光線を均一にするため、該環状に分布しているＬＥＤの発光面はいずれも、該多面体の自由端に向かうように設けられていることが好ましい。
このような多面体の柱状構造と、この多面体の自由端端面縁に環状に分布されるＬＥＤにより、電球全体の発光面が大きくなり、多面体の各角度の光線が均一になる。
また、該多面体とライトヘッドは、螺接構造で相互に螺接されていることが好ましい。
このように多面体とライトヘッドが螺接構造により相互に螺接されることで、散熱効果がよりよくなる。
さらに、該ライトヘッドと透明シェルの間にはまた、散熱を補助するためのセラミックブロックが設けられていることが好ましい。
このようにライトヘッドと透明シェルの間に、散熱を補助するためのセラミックブロックが設けられることで、ライトヘッドの散熱を補助し、散熱効果をよりよくし、ＬＥＤの出力が大きい場合に適用される。
またさらに、該ライトヘッド、セラミックブロックと透明シェルの間は、伝熱接着剤で接続、固定されていることが好ましい。
このようにライトヘッド、セラミックブロックと透明シェルの間がいずれも、伝熱接着剤で接続、固定されることで、ライトヘッドとセラミックブロックからの熱が伝熱接着剤を通じて、透明シェルへ伝えられるように散熱にもつながるので、散熱効果がよりよくなり、ＬＥＤの出力が非常に大きい場合に適用される。
【考案の効果】
【０００６】
本考案は、上記の構成により、多面体の表面に複数のＬＥＤが設けられることで、各ＬＥＤの発光面の向きが同じでなく、また、電球全体の発光面が大きくなる、という格別な効果を奏する。そして、多面体を通じて、ＬＥＤからの熱をライトヘッドへ伝え、ライトヘッドから散熱されることになるので、散熱効果が有効に向上する、という顕著な効果を有する。
【図面の簡単な説明】
【０００７】
【図１】従来のＬＥＤ電球の一例を示す正面図
【図２】従来のＬＥＤ電球の他の例を示す正面図
【図３】本考案の第１の実施の形態におけるＬＥＤ電球を示す正面図
【図４】本考案の第２、第３の実施の形態におけるＬＥＤ電球を示す正面図
【図５】本考案の各実施の形態におけるＬＥＤ電球の要部を示す断面図（図３のＡ−Ａ線断面図）
【考案を実施するための形態】
【０００８】
次に、この考案を実施するための形態について図を用いて説明する。図３に第１の実施の形態を示している。また、図５にその要部を示している。ＬＥＤ電球１は、新型の高効率散熱機能を有するもので、このＬＥＤ電球１は、相互につながる透明シェル１１とライトヘッド１２とを備え、透明シェル１１内に多面体１３が設けられる。多面体１３はライトヘッド１２につながっている。この多面体１３の各表面には、複数のＬＥＤ１４が接着剤により設けられている。このようにして複数のＬＥＤ１４の発光面が多方向に向けられて、発光面の向きが同じでなく、また、ＬＥＤ電球１全体の発光面が大きくなっている。そして、多面体１３とライトヘッド１２がつながっていることで、ＬＥＤ１４の熱が多面体１３により、ライトヘッド１２へ伝わり、ライトヘッド１２から散熱されて、散熱効果は有効に向上する。また、多面体１３とライトヘッド１２が螺接構造により螺接されることにより、散熱効果はより向上することになる。また、この場合、多面体１３は長い柱状構造をなし、多面体１３の接続端と対向した自由端１３２の端面縁には、複数のＬＥＤ１４が環状に分布され、多面体１３の各角度の光線を均一にするため、これら環状に分布するＬＥＤ１４の発光面はいずれも、多面体１３の自由端１３２に向けられる。このような多面体１３の柱状構造と、この多面体１３の自由端端面縁に環状に分布されるＬＥＤ１４により、ＬＥＤ電球１全体の発光面は大きくなり、多面体１３の各角度の光線を均一にすることができる。
【０００９】
図４に第２の実施の形態を示している。この実施の形態が第１の実施の形態と異なるのは、ライトヘッド１２と透明シェル１１の間にさらに、セラミックブロック１５が設けられる点で、これによって、ライトヘッド１２の散熱を補助し、散熱効果がより向上し、ＬＥＤ１４の出力が大きい場合に好適となる。
【００１０】
図４にはまた第３の実施の形態を示している。この実施の形態が第１、第２の実施の形態と異なるのは、ライトヘッド１２、セラミックブロック１５と透明シェル１１の間がいずれも、伝熱接着剤で接続、固定されている点で、これによって、ライトヘッド１２とセラミックブロック１５からの熱が、伝熱接着剤を通じて、透明シェル１１へ伝えられ散熱されるので、散熱効果がより向上し、ＬＥＤ１４の出力が非常に大きい場合に好適となる。
【符号の説明】
【００１１】
１  ＬＥＤ電球
１１  透明シェル１１
１２  ライトヘッド
１３  多面体
１４  ＬＥＤ
１３２  自由端
１５  セラミックブロック
【図１】
0003162606.tif 000003
【図２】
0003162606.tif 000004
【図３】
0003162606.tif 000005
【図４】
0003162606.tif 000006
【図５】
0003162606.tif 000007